(57)【要約】【課題】  従来のコーヒーバッグは袋の容量、サイズ等は同様であるが、カップの口径の大小に適応させ袋部をカップ上に支える支持体をカップ口径より大きく構成することで使用する厚紙の面積量も多くコスト高の原因でもあった。【解決手段】  本発明は、この様な従来の課題を解決するため、支持体の構造を単純にして組み立てを必要とせず又、袋部全体の大きさと同程度で構成する支持体型として使用する厚紙等の面積量を少なくし単純構成にして低コスト化を計り、又その使用性も手軽にする。【選択図】      図１
2006314754.tif 000002
【特許請求の範囲】
【請求項１】
通水濾過性のシート材料からなる袋２を設けこの袋２は上端に開口部１を有して袋２の端部３の側を折り込み折り込み部４を設け袋２の底部を平たく閉じて底部５としておりこの底部５に於いて折り込み部４を有した端部３側が下方に長く伸び出て他方の端部１１側は短い形状をした斜めカットをしている底部５であるさらに袋２の折り込みをしていないもう一方の端部１１側からＶ字型に二つ折りにした支持体６を挟み込み袋２の左右の側壁外面に一体に取り付けて袋２と一体化して支持体６の硬性強度を高めている支持体６の折り目１２部には折り曲げた支持体６の一方側に切り込みを入れ他方側の支持体６を支持軸として外方向に伸び出た係止片１３を有しこの係止片１３はカップの口部をとらえる下方向きの凹部１４を有している二つに折り曲げた支持体６の左右の先端側には先端側で支えるための係止片８を設けておりこれはそれぞれ先端側を軸として折り目１２側に向いた係止片８を切り込みを入れ形成しておりこの係止片８には下方向きのカップの口部をとらえる凹部９を設けている左右の係止片８及び係止片１３の周囲や上下部に支持体６が構え各係止片を支えている以上の構成によりなることを特徴としたドリップ抽出バッグ。
【請求項２】
通水濾過性のシート材料からなる袋２を設けこの袋２は上端に開口部１を有して袋２の端部３の側を折り込み折り込み部４を設け袋２の底部を平たく閉じて底部５としておりこの底部５に於いて折り込み部４を有した端部３側が下方に長く伸び出て他方の端部１１側は短い形状をした斜めカットをしている底部５であるさらに袋２の折り込みをしていないもう一方の端部１１側からＶ字型に二つ折りにした支持体６を挟み込み袋２の左右の側壁外面に一体に取り付けて袋２と一体化して支持体６の硬性強度を高めている支持体６の折り目１２部には折り曲げた支持体６の一方側に切り込みを入れ他方側の支持体６を支持軸として外方向に伸び出た係止片１３を有しこの係止片１３はカップの口部をとらえる下方向きの凹部１４を有している二つに折り曲げた支持体６の左右の先端側には先端側で支えるための係止片８を設けておりこれはそれぞれ先端側を軸として折り目１２側に向いた係止片８を切り込みを入れ形成しておりこの係止片８には下方向きのカップの口部をとらえる凹部９を設けている左右の係止片８及び係止片１３の周囲や上下部に支持体６が構え各係止片を支えていることからなるドリップ抽出バッグに於いて支持体６がＶ字型をした左右の先端側にカップの口部をとらえる係止片８を有し支持体６の折り目１２部に係止片１３を有しＶ字型に開いて構えた支持体６をカップ内の片側に寄せカップ内壁面に支持体６が接しながら位置し外方向に伸び出た左右の係止片８がＶ字型に構えた支持体６の左右の先端側で袋２部を支え折り目１２側の係止片１３の３点でカップの口部をとらえセットしていることを特徴としたドリップ抽出バッグ。
【請求項３】
通水濾過性のシート材料からなる袋２を設けこの袋２は上端に開口部１を有して袋２の端部３の側を折り込み折り込み部４を設け袋２の底部を平たく閉じて底部５としておりこの底部５に於いて折り込み部４を有した端部３側が下方に長く伸び出て他方の端部１１側は短い形状をした斜めカットをしている底部５であるさらに袋２の折り込みをしていないもう一方の端部１１側からＶ字型に二つ折りにした支持体６を挟み込み袋２の左右の側壁外面に一体に取り付けて袋２と一体化して支持体６の硬性強度を高めている支持体６の折り目１２部には折り曲げた支持体６の一方側に切り込みを入れ他方側の支持体６を支持軸として外方向に伸び出た係止片１３を有しこの係止片１３はカップの口部をとらえる下方向きの凹部１４を有している二つに折り曲げた支持体６の左右の先端側には先端側で支えるための係止片８を設けておりこれはそれぞれ先端側を軸として折り目１２側に向いた係止片８を切り込みを入れ形成しておりこの係止片８には下方向きのカップの口部をとらえる凹部９を設けている左右の係止片８及び係止片１３の周囲や上下部に支持体６が構え各係止片を支えていることからなるドリップ抽出バッグに於いて支持体６に設けた左右の係止片８と折り目１２部の係止片１３が支持体６が係止片８及び係止片１３の周囲や上下部に位置し構え支持体６が袋２の外壁面に一体に取り付けられ硬性強度を構成し高め左右の係止片８及び係止片１３を支持体６が支えていることを特徴としたドリップ抽出バッグ。
【請求項４】
通水濾過性のシート材料からなる袋２を設けこの袋２は上端に開口部１を有して袋２の端部３の側を折り込み折り込み部４を設け袋２の底部を平たく閉じて底部５としておりこの底部５に於いて折り込み部４を有した端部３側が下方に長く伸び出て他方の端部１１側は短い形状をした斜めカットをしている底部５であるさらに袋２の折り込みをしていないもう一方の端部１１側からＶ字型に二つ折りにした支持体６を挟み込み袋２の左右の側壁外面に一体に取り付けて袋２と一体化して支持体６の硬性強度を高めている支持体６の折り目１２部には折り曲げた支持体６の一方側に切り込みを入れ他方側の支持体６を支持軸として外方向に伸び出た係止片１３を有しこの係止片１３はカップの口部をとらえる下方向きの凹部１４を有している二つに折り曲げた支持体６の左右の先端側には先端側で支えるための係止片８を設けておりこれはそれぞれ先端側を軸として折り目１２側に向いた係止片８を切り込みを入れ形成しておりこの係止片８には下方向きのカップの口部をとらえる凹部９を設けている左右の係止片８及び係止片１３の周囲や上下部に支持体６が構え各係止片を支えているこのことからなるドリップ抽出バッグに於いてカップの片側に寄せてセットした時に支持体６がカップ内に位置しＶ字型をした支持体６の先端側の開き加減でカップ口径の大小に適応させてセットすることを特徴としたドリップ抽出バッグ。
【請求項５】
通水濾過性のシート材料からなる袋２を設けこの袋２は上端に開口部１を有して袋２の端部３の側を折り込み折り込み部４を設け袋２の底部を平たく閉じて底部５としておりこの底部５に於いて折り込み部４を有した端部３側が下方に長く伸び出て他方の端部１１側は短い形状をした斜めカットをしている底部５であるさらに袋２の折り込みをしていないもう一方の端部１１側からＶ字型に二つ折りにした支持体６を挟み込み袋２の左右の側壁外面に一体に取り付けて袋２と一体化して支持体６の硬性強度を高めている支持体６の折り目１２部には折り曲げた支持体６の一方側に切り込みを入れ他方側の支持体６を支持軸として外方向に伸び出た係止片１３を有しこの係止片１３はカップの口部をとらえる下方向きの凹部１４を有している二つに折り曲げた支持体６の左右の先端側には先端側で支えるための係止片８を設けておりこれはそれぞれ先端側を軸として折り目１２側に向いた係止片８を切り込みを入れ形成しておりこの係止片８には下方向きのカップの口部をとらえる凹部９を設けている左右の係止片８及び係止片１３の周囲や上下部に支持体６が構え各係止片を支えているこのことからなるドリップ抽出バッグに於いて袋２の端部３側に折り込み部４を設けてＶ字型の支持体の６の左右の先端側を開くことが自在になるようにしていることを特徴としたドリップ抽出バッグ。
【請求項６】
通水濾過性のシート材料からなる袋２を設けこの袋２は上端に開口部１を有して袋２の端部３の側を折り込み折り込み部４を設け袋２の底部を平たく閉じて底部５としておりこの底部５に於いて折り込み部４を有した端部３側が下方に長く伸び出て他方の端部１１側は短い形状をした斜めカットをしている底部５であるさらに袋２の折り込みをしていないもう一方の端部１１側からＶ字型に二つ折りにした支持体６を挟み込み袋２の左右の側壁外面に一体に取り付けて袋２と一体化して支持体６の硬性強度を高めている支持体６の折り目１２部には折り曲げた支持体６の一方側に切り込みを入れ他方側の支持体６を支持軸として外方向に伸び出た係止片１３を有しこの係止片１３はカップの口部をとらえる下方向きの凹部１４を有している二つに折り曲げた支持体６の左右の先端側には先端側で支えるための係止片８を設けておりこれはそれぞれ先端側を軸として折り目１２側に向いた係止片８を切り込みを入れ形成しておりこの係止片８には下方向きのカップの口部をとらえる凹部９を設けている左右の係止片８及び係止片１３の周囲や上下部に支持体６が構え各係止片を支えているこのことからなるドリップ抽出バッグに於いて袋２の底部５の端部３側が下方に長く伸び出て端部１１側が短く伸び出て袋２を開いた時に袋２の底部５が水平な形状になるように斜めカットしている底部５であることを特徴としたドリップ抽出バッグ。
【請求項７】
通水濾過性のシート材料からなる袋２を設けこの袋２は上端に開口部１を有して袋２の端部３の側を折り込み折り込み部４を設け袋２の底部を平たく閉じて底部５としておりこの底部５に於いて折り込み部４を有した端部３側が下方に長く伸び出て他方の端部１１側は短い形状をした斜めカットをしている底部５であるさらに袋２の折り込みをしていないもう一方の端部１１側からＶ字型に二つ折りにした支持体６を挟み込み袋２の左右の側壁外面に一体に取り付けて袋２と一体化して支持体６の硬性強度を高めている支持体６の折り目１２部には折り曲げた支持体６の一方側に切り込みを入れ他方側の支持体６を支持軸として外方向に伸び出た係止片１３を有しこの係止片１３はカップの口部をとらえる下方向きの凹部１４を有している二つに折り曲げた支持体６の左右の先端側には先端側で支えるための係止片８を設けておりこれはそれぞれ先端側を軸として折り目１２側に向いた係止片８を切り込みを入れ形成しておりこの係止片８には下方向きのカップの口部をとらえる凹部９を設けている左右の係止片８及び係止片１３の周囲や上下部に支持体６が構え各係止片を支えていることからなるドリップ抽出バッグに於いて支持体６を折り目１２から折り曲げＶ字型にした左右の一方側に切り込みを入れ係止片１３を設け他方側の支持体６部がこの係止片１３を支えて構成した係止片１３が外方向に伸び出てカップ口部をとらえ支持体６と袋２をカップ内に位置し支持するようにしたことを特徴としたドリップ抽出バッグ。
【請求項８】
通水濾過性のシート材料からなる袋２を設けこの袋２は上端に開口部１を有して袋２の端部３の側を折り込み折り込み部４を設け袋２の底部を平たく閉じて底部５としておりこの底部５に於いて折り込み部４を有した端部３側が下方に長く伸び出て他方の端部１１側は短い形状をした斜めカットをしている底部５であるさらに袋２の折り込みをしていないもう一方の端部１１側からＶ字型に二つ折りにした支持体６を挟み込み袋２の左右の側壁外面に一体に取り付けて袋２と一体化して支持体６の硬性強度を高めている支持体６の折り目１２部には折り曲げた支持体６の一方側に切り込みを入れ他方側の支持体６を支持軸として外方向に伸び出た係止片１３を有しこの係止片１３はカップの口部をとらえる下方向きの凹部１４を有している二つに折り曲げた支持体６の左右の先端側には先端側で支えるための係止片８を設けておりこれはそれぞれ先端側を軸として折り目１２側に向いた係止片８を切り込みを入れ形成しておりこの係止片８には下方向きのカップの口部をとらえる凹部９を設けている左右の係止片８及び係止片１３の周囲や上下部に支持体６が構え各係止片を支えていることからなるドリップ抽出バッグに於いて支持体６をＶ字型に開きカップ内でカップ内壁面に接する様に位置させ左右の係止片８と折り目１２部の係止片１３でカップ口部をとらえ開口部１を左右に開き開口部１を大きくして袋２の下部を下方に伸び出させなくとも必要な袋容量を確保できる様にしてカップ内のお湯に浸る底部５の量を少なくしてドリップ性を高めていることを特徴としたドリップ抽出バッグ。
【発明の詳細な説明】
【技術分野】
【０００１】  本発明は飲用容器にセットして使用するレギュラーコーヒー等の使い捨てタイプのドリップ式抽出バッグであり通水濾過性のシート材料により上方口を有した袋を構成し袋内にコーヒー粉を入れ、この袋の外壁面に防水加工をした厚紙等の部材で構成した支持体を取り付けこの支持体から引き起こされた係止片の凹部にカップの口部をはさみ込み左右から袋部をカップの口部に係止して支え袋部をカップ内に位置させセットし使用する。
【背景技術】
【０００２】  従来のコーヒーバッグに於いてカップの一方に寄せセットするカップの口径の大小を選ばず適応するタイプで〔実開平７−２２３〕や同じ方式でドリップ性を高めるためカップ上方に袋部を伸び出させた〔特開平１０−１４７７１〕や袋の口部を大きくしてお湯を注ぎやすくした〔特開平１０−１６５３０８〕などがあった又、カップの中央に袋部を位置させるタイプでは袋の左右の側壁にそれぞれ２点ずつ係止片を設けて４点支持とした〔特開平６−３１５４３５〕や支持体の下端部から４方向に長く伸び出た係止片でカップ口径の大小に適応させる〔特開２００２−２３８７６７〕や係止片の開き角度でカップ口径の大小に適応させる方式タイプ〔特開２００４−２４７６０〕やカップ口径の大小に適応させるためコーヒーバッグの支持体全体を大型にした方式タイプがあった。〔特開２００４−１６００１１〕
【特許文献１】実開平７−２２３
【特許文献２】特開平１０−１４７７１
【特許文献３】特開平１０−１６５３０８
【特許文献４】特開２００２−２３８７６７
【特許文献５】特開平６−３１５４３５
【特許文献６】特開２００４−２４７６０
【特許文献７】特開２００４−１６００１１
【発明の開示】
【発明が解決しようとする課題】
【０００３】  通水濾過性シート材料により構成した袋部の下方部を平たく閉じ上端に開口部を有した袋の左右側壁外面部にそれぞれ支持体を一体に取り付けこの支持体から伸び出て支えられた係止片がそれぞれカップの左右の口部を取らえ袋の開口部を開きカップの片側に寄せてセットするタイプではカップにセットした時に袋の底部側がカップ内壁面に接しカップ中心方向に袋の底部側を押し出し向けるため袋の上方の開口部がカップ外方向側に向き水平にならないためお湯が注ぎづらくなる課題があった。【０００４】  又カップの片側に寄せセットするこのタイプでは袋部の下部をお湯の中に位置させているためドリップ性が低く袋内にお湯が多く残らない様にするため袋部を高い位置にセットすると袋部がカップの口部より高く上に伸び出て安定しない課題が生じた。〔特開平１０−１４７７１〕【０００５】  袋の上方に設けた開口部を大きくしてお湯を注ぎ使用しやすくすると〔特開平１０−１６５３０８〕カップ中央部側に開口部が伸び出て広がり位置することでカップの片側に寄せて左右の係止片で支えセットするこの方式の場合にカップ中央側に袋の重心が寄ると左右の係止片が袋部を支えきれなくなる課題があった。【０００６】  カップ中央に袋部を位置させセットするタイプではカップ口径の大小に適応させるためカップの口部をとらえる係止片を長く伸び出させたりその係止片の開き角度によりカップ口径の大小に適応させるため係止片が折れ曲がりやすくなるため高い強度の係止片とするのに大型の係止片とするか部材に硬性の高いものを使用しなければならない課題があった。【０００７】  片側２点の係止片を有した支持体を左右に設けた４点支持でカップの口部をとらえ袋部をカップ中央に位置する方式では〔特開平６−３１５４３５〕袋部の左右に支持体が分離して取り付けられているため左右の支持体が別の動きをしてセットが安定しなかった。【０００８】  カップ口径の大小に適応させるため支持体全体を大型にするとコスト高になった。〔特開２００４−１６００１１〕【０００９】  そして本発明は上記課題を解決するために通水濾過性のシート材料からなる袋２を設けこの袋２は上端に開口部１を有して袋２の端部３の側を折り込み折り込み部４を設け袋２の底部を平たく閉じて底部５としておりこの底部５に於いて折り込み部４を有した端部３側が下方に長く伸び出て他方の端部１１側は短い形状をした斜めカットをしている底部５であるさらに袋２の折り込みをしていないもう一方の端部１１側からＶ字型に二つ折りにした支持体６を挟み込み袋２の左右の側壁外面に一体に取り付けて袋２と一体化して支持体６の硬性強度を高めている支持体６の折り目１２部には折り曲げた支持体６の一方側に切り込みを入れ他方側の支持体６を支持軸として外方向に伸び出た係止片１３を有しこの係止片１３はカップの口部をとらえる下方向きの凹部１４を有している二つに折り曲げた支持体６の左右の先端側には先端側で支えるための係止片８を設けておりこれはそれぞれ先端側を軸として折り目１２側に向いた係止片８を切り込みを入れ形成しておりこの係止片８には下方向きのカップの口部をとらえる凹部９を設けている左右の係止片８及び係止片１３の周囲や上下部に支持体６が構���各係止片を支えている。
【発明の効果】
【００１０】  袋２の外壁面に二つ折りにしてＶ字型を形成した支持体６を袋２の端部１１の側から挟み込み袋２の外壁面に一体に取り付けられており袋２の袋形と一体化して支持体６の硬性強度を高めさらに左右の係止片８と係止片１３の周囲や上下部に配置されて支持片６は左右の係止片８や係止片１３を支えているため各係止片を支える保持力が高く又、袋２の左右側壁に取り付けた支持体６がＶ字型をして左右一体化しているため袋２や各係止片を支えるその支持力が安定される。【００１１】  カップの片側に寄せてセットする方式のため支持体６の各部がカップ内壁面に接してセットされ左右の係止片８や係止片１３がカップの口部をとらえるのに支持体６から外方向に長く伸び出る必要がなく短くて良いため左右の係止片８や係止片１３は折れ曲がりに強く高い支持力を構成する。【００１２】  袋２の端部３側に折り込み部４を設けて底部５を閉じているため袋２の端部３側が前方にせり出す事がなく左右の支持体６を左右に開きカップにセットした時にカップの口径の大小により左右方向に開口部１を開きカップ中心方向に重心が移動しない様にしてセットの安定性と開口部１の大型化を計りながら左右の支持体６の開き加減が折り込み部４により自在に広がり支持体６の開き角度でカップの口径の大小に適応できる。【００１３】  袋２の底部５に於いて端部３側が下方に大きく伸び出て端部１１側が小さいため支持体６が左右に開いた時に袋２の底面積が端部３側が大きく端部１１側が小さい分を端部１１側の底部５が小さく下方に伸び出ている事で吸収し左右に支持体６が開いた時に端部１１側の底部５が端部３側より大きく下方に伸び出ない様にして底面が水平な形状になる。【００１４】  支持体６の折り目１２部に於いて折り曲げた一方側の支持体６の面に係止片１３を切り込み構成しこの係止片１３を引き起こす事で他方側の支持体６の面側がこの係止片１３を支えておりカップにセットした時にこの係止片１３がカップの外方向に伸び出てカップ口部をとらえ支持し袋２とＶ字型の支持体６がカップ内に位置する様にして袋２内のお湯がカップ外に出ない様にしている。【００１５】  開口部１を左右に開き開口部１を広くとれるため袋２内の必要な容量を確保するため袋形を下方に伸ばす必要がなくカップにセットした時にカップ内のお湯に浸る袋２の底部が少ないためドリップ性が高くなる。
【発明を実施するための最良の形態】
【００１６】  以下、本発明の実施の形態を図１〜図３に基づいて説明する。【００１７】  通水濾過性のシート材料からなる袋２を設けこの袋２は上端に開口部１を有して袋２の端部３の側を折り込み折り込み部４を設け袋２の底部を平たく閉じて底部５としておりこの底部５に於いて折り込み部４を有した端部３側が下方に長く伸び出て他方の端部１１側は短い形状をした斜めカットをしている底部５であるさらに袋２の折り込みをしていないもう一方の端部１１側からＶ字型に二つ折りにした支持体６を挟み込み袋２の左右の側壁外面に一体に取り付けて袋２と一体化して支持体６の硬性強度を高めている支持体６の折り目１２部には折り曲げた支持体６の一方側に切り込みを入れ他方側の支持体６を支持軸として外方向に伸び出た係止片１３を有しこの係止片１３はカップの口部をとらえる下方向きの凹部１４を有している二つに折り曲げた支持体６の左右の先端側には先端側で支えるための係止片８を設けておりこれはそれぞれ先端側を軸として折り目１２側に向いた係止片８を切り込みを入れ形成しておりこの係止片８には下方向きのカップの口部をとらえる凹部９を設けている左右の係止片８及び係止片１３の周囲や上下部に支持体６が構え各係止片を支えている、【００１８】  本発明を使用する時は袋２内に充填し開口部１を仮封じした開口部１を開き支持体６の先端側の左右に設けた係止片８及び折り目１２側設けた係止片１３を引き起こし支持体６をＶ字形に開き各係止片８と係止片１３の凹部９及び凹部１４をカップの口部に挟み込みセットし袋２内にお湯を入れドリップ後は左右の係止片８を持ちカップから取り出しお湯を切りドリップとする。
【図面の簡単な説明】
【００１９】
【図１】  本発明の斜視図
【図２】  本発明の使用状態を示す斜視図
【図３】  本発明の側面図
【００２０】    １．開口部
２．袋
３．端部
４．折り込み部
５．底部
６．支持体
７．折り目
８．係止片
９．凹部
１０．カップ
１１．端部
１２．折り目
１３．係止片
１４．凹部
【図１】
2006314754.tif 000003
【図２】
2006314754.tif 000004
【図３】
2006314754.tif 000005